(57)【特許請求の範囲】
【請求項１】
複数の処理対象を有する本体を遠隔操作する遠隔操作装置において、
上記複数の処理対象のうち、第１の種別の記録／再生部は、第１、第２または第３のキャラクターシンボルを記録することが可能であり、当該第１の種別の記録／再生部とは異なる処理対象は、当該第３のキャラクターシンボルを記録することが可能であり、
１グループは複数のキャラクターシンボルからなり、複数の第１のキャラクターシンボルを、第１のグループとして入力すると共に、上記本体の有する複数の処理対象の中から当該本体が上記第１、第２または第３のキャラクターシンボルを記録させるための処理対象を選択する操作手段と、
上記操作手段にて操作入力された上記第１のグループの種別を判別する種別判別手段と、
上記種別判別手段の判別結果が第１の文字形態で有ると判別され、ユーザーからの変換指示が有る場合、上記ユーザーからの変換指示に基づいて上記第１のキャラクターシンボルを当該第１のキャラクターシンボルの種別とは異なる第２のキャラクターシンボルへの変換を行い、第２のグループとする第１の変換手段と、
上記操作手段にて入力された第１のキャラクターシンボルを上記第１および第２のキャラクターシンボルの種別とはそれぞれ異なる第３のキャラクターシンボルへの変換を行い、第３のグループとする第２の変換手段と、
上記操作手段にて操作入力された第１のグループまたは上記第１の変換手段にて変換された第２のグループを表示する第１の表示手段と、
上記第２の変換手段にて変換された第３のグループを表示する第２の表示手段と、
上記操作手段によって選択された上記本体の処理対象が第１の種別の記録／再生部であるか否かを検出する処理対象検出手段と、
上記処理対象検出手段にて、処理対象が第１の種別の記録／再生部であると検出された場合には、上記第１の表示手段内に表示されている第１のグループまたは第２のグループと上記第１の表示手段の識別コードとを組み合わせて送信するか、上記第２の表示手段に表示されている第３のグループと上記第２の表示手段の識別コードとを組み合わせて上記本体へ送信し、処理対象が第１の種別の記録／再生部とは異なると検出された場合には、上記第２の表示手段に表示されている第３のグループを上記本体へ送信する送信手段と
を具備することを特徴とする遠隔操作装置。
【請求項２】
上記操作手段は、入力可能なキャラクターシンボルを所定の配置によって表示し、表示されたキャラクターシンボルを選択することによって文字入力されるソフトウェアキーボードであることを特徴とする請求項１に記載の遠隔操作装置。
【請求項３】
上記操作手段は、タッチパネルであることを特徴とする請求項１に記載の遠隔操作装置。
【請求項４】
複数の処理対象を有する本体と当該本体を遠隔操作する遠隔操作装置とから構成されるシステムにおいて、
上記遠隔操作装置は、
上記複数の処理対象のうち、第１の種別の記録／再生部は、第１、第２または第３のキャラクターシンボルを記録することが可能であり、当該第１の種別の記録／再生部とは異なる処理対象は、当該第３のキャラクターシンボルを記録することが可能であり、
１グループは複数のキャラクターシンボルからなり、複数の第１のキャラクターシンボルを、第１のグループとして入力すると共に、上記本体の有する複数の処理対象の中から当該本体が上記第１、第２または第３のキャラクターシンボルを記録させるための処理対象を選択する操作手段と、
上記操作手段にて操作入力された上記第１のグループの種別を判別する種別判別手段と、
上記種別判別手段の判別結果が第１の文字形態で有ると判別され、ユーザーからの変換指示が有る場合、上記ユーザーからの変換指示に基づいて上記第１のキャラクターシンボルを当該第１のキャラクターシンボルの種別とは異なる第２のキャラクターシンボルへの変換を行い、第２のグループとする第１の変換手段と、
上記操作手段にて入力された第１のキャラクターシンボルを上記第１および第２のキャラクターシンボルの種別とはそれぞれ異なる第３のキャラクターシンボルへの変換を行い、第３のグループとする第２の変換手段と、
上記操作手段にて操作入力された第１のグループまたは上記第１の変換手段にて変換された第２のグループを表示する第１の表示手段と、
上記第２の変換手段にて変換された第３のグループを表示する第２の表示手段と、
上記操作手段によって選択された上記本体の処理対象が第１の種別の記録／再生部であるか否かを検出する処理対象検出手段と、
上記処理対象検出手段にて、処理対象が第１の種別の記録／再生部であると検出された場合には、上記第１の表示手段内に表示されている第１のグループまたは第２のグループと上記第１の表示手段の識別コードとを組み合わせて送信するか、上記第２の表示手段に表示されている第３のグループと上記第２の表示手段の識別コードとを組み合わせて上記本体へ送信し、処理対象が第１の種別の記録／再生部とは異なると検出された場合には、上記第２の表示手段に表示されている第３のグループを上記本体へ送信する送信手段と
を具備し、
上記本体は、
上記送信手段からの送信されるグループおよび識別コードを受信する受信手段と、
上記受信手段で受信された上記識別コードが上記第１の表示手段の識別コードか上記第２の表示手段の識別コードかを識別する識別手段と、
上記識別手段にて、上記第１の表示手段の識別コードであると識別された場合には、第１の領域に上記受信手段によって受信されたグループを記憶し、上記第２の表示手段の識別コードであると識別された場合には、第２の領域に上記受信手段によって受信されたグループを記憶する記憶手段と
を具備する
ことを特徴とするシステム。
【請求項５】
上記操作手段は、入力可能なキャラクターシンボルを所定の配置によって表示し、表示されたキャラクターシンボルを選択することによって文字入力されるソフトウェアキーボードであることを特徴とする請求項４に記載のシステム。
【請求項６】
上記操作手段は、タッチパネルであることを特徴とする請求項４に記載のシステム。
【発明の詳細な説明】
【０００１】
【発明の属する技術分野】
この発明は、例えば光磁気ディスク装置等のディジタル信号記録媒体に対して記録／再生を行うオーディオ信号記録／再生システムを制御する遠隔操作装置に関する。
【０００２】
【従来の技術】
従来、ＭＤ（Mini Disc ：登録商標）等の光磁気ディスクに音楽等のプログラムを記録および再生する光磁気ディスク装置が知られている。このような光磁気ディスクの内周には、記録されたプログラムについての記録位置、記録日時、タイトル名を管理するいわゆるＵ−ＴＯＣ(User Table Of Content) エリアが形成されている。Ｕ−ＴＯＣエリアはページ構造とされており、複数のセクタが存在する。以下、このようなＵ−ＴＯＣエリアの構成の一例について説明する。
【０００３】
Ｕ−ＴＯＣエリアは、例えば３６セクタから構成される。この内、セクタ０は、主に既に記録されたプログラムの起点アドレス、終点アドレスを管理したり、記録可能領域の起点アドレス、終点アドレスを管理している。また、セクタ１は、主に記録されたプログラムに対応したタイトル名や、光磁気ディスク固有のタイトル名を管理している。主にオーディオユースの場合は上記プログラムに対応したタイトル名は曲名であり、光磁気ディスク固有のタイトル名は、アルバム名や演奏者名に相当する。
【０００４】
セクタ２は、記録されたプログラムに対応した記録日時を管理する。セクタ４は、セクタ１が英字タイトル名を管理していたのに対して漢字、ひらがな、カタカナを管理する。また、セクタ３およびセクタ５からセクタ３６は、拡張領域として準備されており、現段階では使用されていない。
【０００５】
光磁気ディスクに記録されたプログラムを再生するに先立って、上述のＵ−ＴＯＣ領域を再生して、再生された様々な情報を、各プログラムと対応付けて装置内のＤＲＡＭ等の所定の記憶手段に記憶する。そして、所望のプログラムを再生する時に、メモリから対応するタイトルを読み出して表示部に表示していた。
【０００６】
上述した従来の光磁気ディスク装置においては、プログラムに対応したタイトル名やアーチスト名等の文字情報を、Ｕ−ＴＯＣ情報として設定する際に使用される表示部の文字入力枠が１つしか無かった。そのため、文字情報の設定時にＵ−ＴＯＣのセクタ１に記録される文字情報か、セクタ４に記録される文字情報かの何れか一方ずつしか設定することができず、両方を同時に設定することは困難であった。
【０００７】
特に、一般にＵ−ＴＯＣのセクタ１に記録される文字情報とセクタ４に記録される文字情報の間には、たとえば英字表記とそれに対応するカタカナ表記等の関連性があり、タイトル名の表示エリアが１つの領域しか無い場合には、２度同じような入力をしなければならず、ユーザにとっての利便性が損なわれるという問題があった。
【０００８】
さらに、従来の光磁気ディスク装置においては、表示部にタイトル名を表示するに際して、Ｕ−ＴＯＣセクタ１のタイトル名を読み出すか、セクタ４のタイトル名を読み出すかをユーザに選択させて、ユーザが選択したフォントによって表示をしていた。例えば、日本人にとってタイトル名の表示は、英字で表示されるよりは、漢字やひらがな、カタカナ等でタイトル名が表示される方がタイトル名の視認性が高められる。また、洋楽の場合には英字表示なので、セクタ１に記録されている英字表示が選択されている時には、セクタ４に基づく漢字やひらがな、カタカナ等での表示がなされず、せっかく多種多様のフォントに対応しておりながら、その長所を活かすことができなかった。
【０００９】
従って、この発明の目的は、複数の文字形態、例えばひらがな、および漢字と、英字等によってなされる各プログラムのタイトル等に係る文字情報の表示および入力を同時に行うことが可能なディジタルオーディオ信号／再生システムを制御する遠隔操作装置を提供することにある。
【００１０】
上述した課題を解決するために、この発明は、
複数の処理対象を有する本体を遠隔操作する遠隔操作装置において、
複数の処理対象のうち、第１の種別の記録／再生部は、第１、第２または第３のキャラクターシンボルを記録することが可能であり、当該第１の種別の記録／再生部とは異なる処理対象は、当該第３のキャラクターシンボルを記録することが可能であり、
１グループは複数のキャラクターシンボルからなり、複数の第１のキャラクターシンボルを、第１のグループとして入力すると共に、本体の有する複数の処理対象の中から当該本体が第１、第２または第３のキャラクターシンボルを記録させるための処理対象を選択する操作手段と、
操作手段にて操作入力された第１のグループの種別を判別する種別判別手段と、
種別判別手段の判別結果が第１の文字形態で有ると判別され、ユーザーからの変換指示が有る場合、ユーザーからの変換指示に基づいて第１のキャラクターシンボルを当該第１のキャラクターシンボルの種別とは異なる第２のキャラクターシンボルへの変換を行い、第２のグループとする第１の変換手段と、
操作手段にて入力された第１のキャラクターシンボルを第１および第２のキャラクターシンボルの種別とはそれぞれ異なる第３のキャラクターシンボルへの変換を行い、第３のグループとする第２の変換手段と、
操作手段にて操作入力された第１のグループまたは第１の変換手段にて変換された第２のグループを表示する第１の表示手段と、
第２の変換手段にて変換された第３のグループを表示する第２の表示手段と、
操作手段によって選択された本体の処理対象が第１の種別の記録／再生部であるか否かを検出する処理対象検出手段と、
処理対象検出手段にて、処理対象が第１の種別の記録／再生部であると検出された場合には、第１の表示手段内に表示されている第１のグループまたは第２のグループと第１の表示手段の識別コードとを組み合わせて送信するか、第２の表示手段に表示されている第３のグループと第２の表示手段の識別コードとを組み合わせて本体へ送信し、処理対象が第１の種別の記録／再生部とは異なると検出された場合には、第２の表示手段に表示されている第３のグループを本体へ送信する送信手段と
を具備することを特徴とする遠隔操作装置である。
【００１１】
この発明によって制御される記録／再生システムは、
送信手段からの、それぞれがキャラクターシンボルの同一の入力グループに対応する少なくとも二つの異なる文字形態と、記録／再生システムの識別子を受信する受信手段と、
受信手段で受信された記録／再生システムの識別子を識別する識別手段と、
受信手段で受信された、それぞれがキャラクターシンボルの同一の入力グループに対応する少なくとも二つの異なる文字形態を記憶する第２の記憶手段とを備え、
識別手段の識別結果に基づいて、それぞれがキャラクターシンボルの同一の入力グループに対応する少なくとも二つの異なる文字形態を記録／再生システム内部の第２の記憶手段に記憶する。
【００１５】
【発明の実施の形態】
以下、図面を参照してこの発明の実施の一形態について説明する。図１は、この発明の実施の一形態であるMini Disc （以下、ＭＤと称す）装置の全体構成を示すブロック図である。上記ＭＤの直径は、Compant Disk（以下、ＣＤと称す）の直径１２ｃｍと比較して６４ｍｍと小径で、携帯性に優れる光磁気ディスクである。ＭＤ装置は、ＭＤに情報を記録し、また、ＭＤから情報を再生する光磁気ディスク装置の一種である。また、ＭＤ装置本体３０は、後述するように、遠隔操作部１００を介してユーザからの指令を受取り、また、オーディオ情報等のユーザが必要とする情報を送出する。
【００１６】
ＭＤ１は、シャッター機構を有するカートリッジ内に収納されている。かかるシャッター機構を記録時または再生時に開閉することによって、ＭＤ１に光学ピックアップからの光を照射したり、磁気ヘッドからの磁界を印加することができる。記録／再生等の用途でＭＤ１がＭＤ装置本体３０に装着される場合に、ＭＤ１は、スピンドルモータ２によってＣＬＶ（線速度一定：Constant Liner Velocity)に回転制御される。このＭＤ１を挟んで互いに対向する位置に光学ヘッド３と、磁気ヘッド６とがＭＤ装置本体３０内部に設けられている。また、ＭＤ装置本体３０には、光学ヘッド３全体をＭＤ１の半径方向に大きく移動させるスレッドモータ５が設けられている。
【００１７】
光学ヘッド３は、対物レンズ３ａ、２軸機構４、図示しない半導体レーザおよび受光部から構成される。半導体レーザが出射するレーザ光強度は、記録時と再生時とで切替えられる。受光部は複数の領域からなっており、半導体レーザからの出射光がＭＤ１によって反射された反射光を受光して、各領域毎に検出信号を生成する。この反射光は、磁気カー効果（magnetic kerr effect) によって記録情報に応じて偏光面(Polarization)が変化するものであり、受光部は、この偏光面の変化に基づいて磁界ベクトルを検知し、検知した磁界ベクトルに基づいて検出信号を生成する。また、２軸機構４は、対物レンズ３ａをＭＤ１の記録面に接離する方向に駆動するフォーカス用コイルと、対物レンズ３ａをＭＤ１の半径方向に駆動するトラッキング用コイルとによって構成されている。
【００１８】
以下、データ再生系およびサーボ系等、再生信号に基づく処理に係る構成および動作について説明する。光学ヘッド３内の受光部が生成する上述の検出信号がＲＦアンプ７に供給される。ＲＦアンプ７は、検出信号に基づいてフォ−カスエラー信号ＦＥ，トラッキングエラー信号ＴＥ、ＲＦ信号およびスピンドルエラー信号を生成する。上記フォ−カスエラー信号ＦＥ，トラッキングエラー信号ＴＥ、ＲＦ信号およびスピンドルエラー信号の内、フォ−カスエラー信号ＦＥおよびトラッキングエラー信号ＴＥがサーボ回路９に供給される。上記ＲＦ信号は、ＥＦＭ／ＣＩＲＣエンコーダ・デコーダ８およびアドレスデコーダ１０に供給される。上記スピンドルエラー信号は、システムコントローラ１１に供給される。
【００１９】
サーボ回路９は、ＲＦアンプ７から供給される信号に位相補償および利得調整を施す。サーボ回路９の出力は、図示しないドライブアンプを介して２軸機構４内のフォーカス用コイルおよびトラッキング用コイルに供給される。
【００２０】
サーボ回路９は、図示しないＬＰＦ(Low Pass Filter) を有しており、このＬＰＦにトラッキングエラー信号ＴＥが供給される。そして、このＬＰＦの出力に基づいてスレッドエラー信号が生成され、スレッドドライブアンプ（図示せず）を介してスレッドモータ５に供給される。スレッドモータ５は、このスレッドエラー信号に従う動作を行なう。
【００２１】
ＥＦＭ／ＣＩＲＣエンコーダ・デコーダ８は、ＲＦアンプ７から供給されるＲＦ信号に基づく以下のような処理を行なう。まず、ＲＦ信号を２値化し、さらにＥＦＭ復調（Eight to Fourteen demodulation) を施す。ここで、ＥＦＭ復調は、記録データに施されているＥＦＭ変調（Eight to Fourteen Modulation) に対応する復調処理である。ＥＦＭ復調によって得られた信号には、記録情報に施されていた符号化である、ＣＩＲＣ(Cross Interleave Reed-Solomon Coding)に基づくエラー訂正処理が行なわれる。
【００２２】
ＥＦＭ／ＣＩＲＣエンコーダ・デコーダ８は、ＲＦ信号に基づく２値化信号またはアドレスデコーダ１０によって抽出されるアドレスデータに基づいて、ＭＤ１の回転を制御するためのスピンドルエラー信号を生成し、システムコントローラ１１に供給する。システムコントローラ１１は、このスピンドルエラー信号に基づいてスピンドルモータ２を制御する。また、ＥＦＭ／ＣＩＲＣエンコーダ・デコーダ８は、２値化したＥＦＭ信号に基づいて内部に有するＰＬＬ(Phase Locked Loop) の引込み動作を制御する。
【００２３】
ＥＦＭ／ＣＩＲＣエンコーダ・デコーダ８によって復号された信号がメモリコントローラ１２に供給される。メモリコントローラ１２は、後述するように、システムコントローラ１１の制御の下で、ＥＦＭ／ＣＩＲＣエンコーダ・デコーダ８の出力信号をメモリであるＲＡＭ(Random Access Memory)１３に書込み、また、ＲＡＭ１３から書込まれていた信号を読出す。
【００２４】
ＲＡＭ１３から読出された信号がオーディオ圧縮エンコーダ・伸張デコーダ１４に供給される。オーディオ圧縮エンコーダ・伸張デコーダ１４は、供給される信号に施されていた、例えばＡＴＲＡＣ(Acoustic TRansferred Adopted Coding) 方式等による圧縮を解く処理を行なう。圧縮が解かれた信号がＤ／Ａ変換器１５に供給される。Ｄ／Ａ変換器１５は、供給されるディジタルデータをアナログオーディオ信号に変換する。このアナログオーディオ信号がオーディオ出力端子１６を介して図示しないオーディオ出力手段に供給される。
【００２５】
後述するように、ＭＤ１には、予めグルーブ(groove)が例えば２２．０５Ｈｚ等の所定周波数にて蛇行して設けられており、ＦＭ変調(Frequency Modulation)にてアドレスデータが記録されている。アドレスデータデコーダ１０は、ＲＦアンプ７から供給されるＲＦ信号に基づいて、このアドレスデータを抽出する。アドレスデータデコーダ１０内には所定周波数のみを通過させるＢＰＦ(Band Pass Filter)が設けられており、このＢＰＦを介してＦＭ復調することによってアドレスデータを抽出する。抽出されたアドレスデータがＥＦＭ／ＣＩＲＣエンコーダ・デコーダ８に供給される。
【００２６】
メモリーコントローラ１２が行う処理についてより詳細に説明する。ＥＦＭ／ＣＩＲＣエンコーダ・デコーダ８の出力信号を、例えば１．４Ｍビット／秒の転送レートでＲＡＭ１３に書込む。そして、所定量以上の信号がＲＡＭ１３に蓄積された時に、書込み時の転送レートより充分遅い０．３Ｍビット／秒の転送レートで読出される。このように、再生された信号をメモリに一旦蓄えてからオーディオデータとして出力するようにしたので、外乱によるトラックジャンプに起因してオーディオ出力が途切れることが防止される。
【００２７】
例えば振動等の外乱によってトラックジャンプが生じた場合には、トラックジャンプが生じたアドレスに光学ヘッド３を再配置する処理が行なわれる。上記再配置に要する期間でも、上述したメモリーコントローラ１２によりＲＡＭ１３に既に書込まれている信号が低速の転送レートで読出されてオーディオ出力がなされる。このため、トラックジャンプに起因してＭＤ１からの再生が中断しても、それが所定時間以内であればオーディオ出力が途切れないようにすることができる。一例として、ＲＡＭ１３として４ＭバイトのＲＡＭを使用した場合には、ＲＡＭ１３内のデータが満杯とされた状態で約１０秒間のオーディオデータ出力に相当するデータが蓄えられる。なお、メモリーコントローラ１２は、システムコントローラ１１によって制御される。
【００２８】
次に、記録に係る構成および動作について以下に説明する。ＣＤプレーヤ等のディジタル再生装置のアナログ出力端子から出力されるアナログ信号がオーディオ入力端子１７を介してＡ／Ｄコンバータ１８に供給される。Ａ／Ｄコンバータ１８は、供給されるアナログ信号をディジタル信号に変換し、オーディオ圧縮エンコーダ・伸張デコーダ１４に供給する。なお、ディジタル再生装置のディジタル出力端子から出力されるディジタル信号を入力する場合には、そのようなディジタル信号を入力端子２１を介してオーディオ圧縮エンコーダ・伸張デコーダ１４に供給すれば良い。
【００２９】
オーディオ圧縮エンコーダ・伸張デコーダ１４は、供給されるディジタル信号に例えばＡＴＲＡＣ（Acoustic TRansfer Adapted Coding) 方式等の所定の圧縮を施す。そして、圧縮されたディジタル信号が例えば０．３Ｍビット／秒等の転送レートでメモリコントローラ１２を介してＲＡＭ１３に一旦蓄積される。メモリコントローラ１２は、ＲＡＭ１３に所定量のディジタル信号が蓄積されたことを検知した時にＲＡＭ１３からの読出しを許可する。
【００３０】
ＲＡＭ１３から読出されたディジタル信号は、ＥＦＭ／ＣＩＲＣエンコーダ・デコーダ８に供給される。ＥＦＭ／ＣＩＲＣエンコーダ・デコーダ８は、このディジタル信号にＥＦＭ変調およびエラー訂正のためのＣＩＲＣ符号化を施し、磁気ヘッド駆動回路１５０に供給する。磁気ヘッド駆動回路１５０は、供給される信号に基づいて磁気ヘッド６のＮ極またはＳ極の駆動を行なう。それと共に、光学ヘッド３内の半導体レーザの出射パワーが再生時よりも高パワーとなるように制御され、ＭＤ１の表面がキューリー温度(Curie Temperature) まで加熱されて磁界反転を生じ得る状態とされることにより、データの記録が行われる。
【００３１】
システムコントローラ１１は、上述した記録／再生等の動作に係る種々の制御を行なう。このような制御としては、メモリコントローラ１２がＲＡＭ１３を使用して行う信号処理の制御、ＥＦＭ／ＣＩＲＣエンコーダ・デコーダ８から供給されるスピンドルエラー信号に基づくスピンドル制御、およびＥＦＭ／ＣＩＲＣエンコーダ・デコーダ８に対するエンコーダ、デコーダ制御等がある。
【００３２】
このような制御に加えて、システムコントローラ１１は、キー部１９、または後述する遠隔操作部１００等を介してユーザによってなされる操作に応じて、例えば各種サーボ用のコマンドをサーボ回路９に転送する処理を行う。また、例えばＬＣＤ(Liquid Crystal Display)などの表示部２０を制御して、文字情報等の所定の情報を表示する。表示される情報としては、例えば、静止画像、または、ＭＤ１の総再生時間、再生中のプログラムの経過時間、再生中のプログラムの残り再生時間、総再生時間中の残り再生時間等の時間情報、さらには再生中のプログラムのトラック情報等がある。また、ＭＤ１にディスクネーム、トラックネーム、プログラム名等が記録されている場合には、これらの情報も表示部２０に表示される。
【００３３】
キー部１９等や遠隔操作部１００を介してなされる操作には、電源のオン／オフ、ＭＤ１を保持しているカートリッジの取り出しであるイジェクト指令、再生指令、一時停止指令、停止指令、選曲指令、録音指令等が含まれる。遠隔操作部１００による操作の内容は、例えば赤外線等を使用した所定の伝達方法によってシステムコントローラ１１に伝達される。そこで、ＭＤ装置本体３０には、遠隔操作部１００から伝達される情報を受信するために送受信ユニット２２が設けられている。この送受信ユニット２２は、本体からの情報を遠隔操作部１００に送信する機能をも有する。
【００３４】
本体から送出される情報は、例えば選曲指令を行う際に参照される、ＭＤ１中に記録されているプログラムの内容等、ユーザが必要とする情報である。このような情報は、ＭＤ１上の後述するＰ−ＴＯＣ（プリマスタードＴＯＣ（Table Of Content) ）およびＵ−ＴＯＣ等の所定の記録領域から再生され、システムコントロール部１１によって送受信ユニット２２に供給される。ユーザとシステムコントロール部１１との間の交信は、キー部１９等や遠隔操作部１００以外にも、例えばパーソナルコンピュータ４０およびインターフェイス３９を介して行うようにしても良い。この場合には、交信およびパーソナルコンピュータ４０のモニター画面表示等に係るソフトウエア等が必要とされる。
【００３５】
キー部１９等や遠隔操作部１００等は、プログラムのタイトル等の所望の情報を、ユーザがＭＤ１に記録するために入力する機能をも有している。このようにして記録された情報は、上述したように、プログラムの再生中等に表示部２０に表示される。
【００３６】
このようなプログラムのタイトル等の情報は、ＭＤ１上にプログラムを記録する領域とは別に設けられた記録領域であるＵ−ＴＯＣエリアに記録される。後述するように、Ｕ−ＴＯＣエリアは複数のセクタからなっており、プログラムのタイトル等について、漢字、ひらがな、カタカナによって表記されるもの（すなわち、使用できる文字コードがＭＳ−ＪＩＳ（Microsoft -Japan Industrial Standards)と、アルファベットおよびカタカナによって表記されるもの、すなわち、使用できる文字コードがＩＳＯ(International Standard Organization) ８８５９−１と規定されているものとが別個のセクタに記録される。この発明は、このような複数の文字形態による、プログラムのタイトル等に係る文字データの入力，つまりＵ−ＴＯＣ内の別のセクタに記録される文字データの入力を、遠隔操作部１００等の表示部に表示される同一の画面から各プログラムについて一度に行うことができるようにしたものである。
【００３７】
この発明についての理解を容易とするために、以下、ＭＤ１の媒体フォーマットについて図２を参照して説明する。ＭＤ１は、ポリカーボネイト基板に情報膜が被着されたものであり、その中央に磁性体からなるクランピングプレート４１が装着されている。情報膜の内の記録膜は、基板側（図示省略）から順に誘電体層、ＭＯ(Magnetic Optical)層、誘電体層、反射膜、保護膜が積層された構造を有する。情報膜の内の再生専用の膜は、反射膜および保護膜からなる。ＭＤ１のクランピングプレート４１以外の情報膜の領域がインフォーメーションエリア４２とされる。
【００３８】
インフォーメーションエリア４２の最内周側がリードインエリア４３とされる。リードインエリア４３には、再生専用の膜が被着されており、予めピットの形態で情報が記録されている。リードインエリア４３の外側に記録膜が被着されたレコーダブルエリア４４が設けられ、ＭＤ１の最外周にリードアウトエリア４５が設けられる。レコーダブルエリア４４の外側にプログラムを記録するプログラムエリア４７が配置される。レコーダブルエリア４４の内周側には、Ｕ−ＴＯＣを記録するＵ−ＴＯＣエリア４６が配置され、プログラムエリア４７内に記録されている各プログラムに係る情報が記録される。
【００３９】
リードインエリア４３とＵ−ＴＯＣエリア４６との間、すなわち、レコーダブルエリア４４の最内周には、キャリブレーションエリア４８が設けられる。キャリブレーションエリア４８は、記録時のレーザ出力の調整等のために設けられている。また、Ｕ−ＴＯＣエリア４６とプログラムエリア４７との間には、ギャップエリア４９が設けられる。キャリブレーションエリア４８およびギャップエリア４９には、ユーザデータが記録されない。
【００４０】
リードインエリア４３内には、Ｐ−ＴＯＣがプリピットとして予め記録されている。Ｐ−ＴＯＣには、上記Ｕ−ＴＯＣの開始アドレスや、記録時のレーザパワー値、上記キャリブレーションエリア４８の開始アドレス等が記録されている。
【００４１】
ＭＤ１に対して記録／再生動作を行うためには、ＭＤ１に記録されている管理情報、すなわち、Ｐ−ＴＯＣおよびＵ−ＴＯＣを予め読出す必要がある。システムコントローラ１１は、これらの管理情報に応じてＭＤ１上の記録すべきエリアのアドレスや、再生すべきエリアのアドレスを判別する。これらの管理情報は、ＭＤ１がＭＤ装置３０に装着された際に読出され、例えばＤＲＡＭ等の図示しない所定の記憶手段に記憶されて、その後の記録／再生動作において参照される。
【００４２】
これらの情報は、データの記録や消去に応じてＵ−ＴＯＣが編集されて書換えられる。システムコントローラ１１は、記録／消去動作の度に、このような編集処理を上述した所定の記憶手段に記憶されているＵ−ＴＯＣに対して行う。そして、編集処理の結果として更新されたＵ−ＴＯＣを、ＭＤ１のＵ−ＴＯＣエリア４６に所定のタイミングで書込む。所定のタイミングとしては、例えばＭＤ１のイジェクト指令がなされた時、電源オフの指令がなされた時等がある。一旦記憶手段に記憶して管理することにより、書換えが行われる度にＭＤ１のＵ−ＴＯＣエリア４６の内容を記録し直す場合に比べてＵ−ＴＯＣエリア４６に対する記録時間が短縮され、装置全体の性能を向上させることができる。但し、書換えが行われる度にＭＤ１のＵ−ＴＯＣエリア４６の内容を記録し直すようにしても良い。
【００４３】
Ｕ−ＴＯＣにおいて管理される情報についての理解を容易とするために、以下、プログラムエリア４７内のデータフォーマットについて説明する。データの記録／再生は，クラスターを単位として行なわれる。１クラスターは、例えば３６セクタから構成される。そして、１セクタが例えば２３５２バイトから構成される。また、１クラスターを構成する３６セクタの内、３セクタがリンキングセクタであり、１セクタがサブデータセクタである。さらに他の３２セクタにメインデータが記録される。
【００４４】
このＭＤのデータフォーマットの一例におけるＣＩＲＣのインターリーブ長は、エラー訂正処理を施す際にＣＤ等で一般的に使用されているフォーマットにおける１セクタ長（例えば１３．３ｍｓｅｃ）と比較して、長く設定されている。そこで、再生系の互換性、すなわち同一の再生系によってＣＤとＭＤの両方を再生できる機能を持たせるために上述のリンキングセクタが設けられている。このため、リンキングセクタには有用な情報は記録されない。サブデータセクタは拡張領域とされており、現段階では情報が記録されない。
【００４５】
上述のセクタに対して２セクタを１単位とし、この１単位が例えば１１サウンドグループに分割されている。１サウンドグループは例えば４２４バイトからなり、それぞれ、左右チャンネルのデータから構成される。また、１１サウンドグループの全体を１サウンドフレームと称する。
【００４６】
Ｕ−ＴＯＣは、上述したようにプログラムエリア４７に記録されている各プログラムを管理する目録情報である。Ｕ−ＴＯＣが記録されるＵ−ＴＯＣエリア４６について説明する。Ｕ−ＴＯＣエリア４６は、例えば３２セクタから構成される。以下、セクタ０、セクタ１、セクタ２およびセクタ４について説明する。セクタ３およびセクタ５〜セクタ３２は、拡張領域とされており、現段階では使用されていない。
【００４７】
セクタ０においてはプログラムエリア４７に記録されている各プログラムの起点アドレス、終点アドレス、コピープロテクト情報、エンファシス情報等が管理されている。図３にセクタ０の一構成例を示す。このセクタ０および後述のセクタ１、セクタ２およびセクタ４は、それぞれ２３５２バイトのサイズであり、５８８個の４バイトのスロット単位を並べた構成とされる。この４バイトのスロット単位を区別するために番号０〜５８７が付されている。すなわち、番号０〜７７には、ヘッダ部に続いて所定のアドレス位置を示すクラスターＨおよびクラスターＬ，ディスクの製造元および型式を示すメーカーコードおよびモデルコード、最初および最後のプログラム番号を示すＦｉｒｓｔＴＮＯおよびＬａｓｔＴＮＯ，セクタ使用状況、ディスクシリアル番号、並びにディスクＩＤ等が順に記録されている。
【００４８】
続いて、ＭＤ１上に生じた欠陥の位置に係る情報を格納するスロットの先頭位置を示すＰ−ＤＦＡ（Pointer for Defective Area) 、スロットの使用状況を示すＰ−ＥＭＰＴＹ（Pointer for Empty slot) ，記録可能領域を管理するスロットの先頭位置をＰ−ＦＲＡ（Pointer for Freely Area)および各プログラム番号に対応したスロットの先頭位置を各々示すＰ−ＴＮＯ１，Ｐ−ＴＮＯ２・・・Ｐ−ＴＮＯ２５５から構成される対応テーブル指示データ部が記録されている。
【００４９】
番号７８から５８７には、上記各種Ｐｏｉｎｔｅｒで指示されるスロットが２５５個設けられている。各スロットは４バイトから構成されており、１スロットにはスタートアドレス、エンドアドレス、トラックモードおよびリンク情報が管理されている。
【００５０】
この発明を適用することができるＭＤ装置は、記録媒体であるＭＤにデータを必ずしもシーケンシャルに記録しなくても良く、記録媒体上に離散的に記録したデータを正しく再生することも可能である。このための処理について以下に説明する。まず、上述したように、データが一旦メモリであるＲＡＭ１３に蓄積するようにしたこと、およびＲＡＭ１３への書込みレートをＲＡＭ１３からの読出しレートより大きくしたので、再生系において、以下のようなデータ処理が可能となる。
【００５１】
光学ピックアップ６をディスク上に離散的に記録されたデータに順次アクセスさせることによって得られる再生信号に基づいてＥＦＭ／ＣＩＲＣエンコーダ・デコーダ８が生成する再生データをＲＡＭ１３に蓄積させる。そして、ＲＡＭ１３からの読出しにおいて、データを並べ替えてシーケンシャルな形態とし、後段のオーディオ圧縮エンコーダ・伸張デコーダ１４に出力する。
【００５２】
このようなデータ処理に加えて、離散的に記録されたデータを正しくつなぎ合わせるために、上述したＵ−ＴＯＣのセクタ０内のＰ−ＦＲＡを参照してなされる処理について説明する。図４は、Ｐ−ＦＲＡに０３ｈ（hexia-decimal)が記録されている場合を示す一例である。この場合には、まず、図４Ａに示すようにスロット０３ｈがアクセスされる。このスロット０３ｈに記録されているスタートアドレスおよびエンドアドレスデータは、ディスク上に記録された１つのパーツの起点アドレスと終点アドレスを示す。
【００５３】
スロット０３ｈに記録されているリンク情報は、後続すべきスロットのアドレスを示している。図４においては後続すべきスロットのアドレスが１８ｈである。そこで、図４に示すようにスロット１８ｈがアクセスされる。スロット１８ｈに記録されているリンク情報が後続すべきスロットのアドレスが１Ｆｈであることを示しているので、さらにスロット１Ｆｈがアクセスされる。そして、スロット１Ｆｈのリンク情報に従って、スロット２Ｂｈがアクセスされ，さらにスロット２Ｂｈのリンク情報に従って、スロットＥ３ｈがアクセスされる。このようにして、リンク情報としてｎｕｌｌ（すなわち００ｈ）が現れるまで次々にリンク情報をたどっていく。
【００５４】
このようにリンク情報をたどることにより、ＭＤ１上に離散的に記録されたデータのアドレスが順に認識される。ＭＤ装置本体３０内の光ピックアップ６を制御して、ＭＤ１上のこれらのアドレスに順にアクセスしていくことにより、離散的に記録されたデータをＲＡＭ１３からの読出し時につなげることが可能となる。
【００５５】
上述の説明は、Ｐ−ＦＲＡを参照して離散的に記録されているデータを結合する処理についてのものであるが、Ｐ−ＤＦＡ，Ｐ−ＥＭＰＴＹ，Ｐ−ＴＮＯ１，Ｐ−ＴＮＯ２・・・Ｐ−ＴＮＯ２５５を参照しても同様に離散的に記録されているデータを結合することができる。
【００５６】
次に、Ｕ−ＴＯＣエリア４６のセクタ１においては、プログラムエリア４７に記録されている各プログラムのタイトル、ＭＤ１全体のタイトルが管理される。ここで、ＭＤ１全体のタイトルとは、記録されるプログラムがオーディオデータの場合にはアルバムタイトル、演奏者名等の情報であり、各プログラムのタイトルとは、曲名等に相当する。図５にＵ−ＴＯＣセクタ１の構成の一例を示す。
【００５７】
各プログラム毎の文字情報は、対応テーブル指示データＰ−ＴＮＡX （Ｘは１〜２５５）によって指示される文字テーブル部のスロットに記録されており、文字情報の文字数が多い場合には、リンク情報を用いて複数のスロットを連結して記録を行なっている。また、このＵ−ＴＯＣセクタ１においては、使用できる文字コードが定められていて、主に英字入力されたアルファベットのタイトルが管理される。しかしながら、ユーザよりカタカナ入力が指示された場合には、特殊コードの”＾”を自動発生し、アルファベット文字を囲んでセクタ１にて管理する。そして、特殊コードの”＾”で囲まれたアルファベットを変換表に基づいてカタカナに変換して表示するようになされる。変換表により、例えば＾ａ＾という文字がカタカナのアに変換される。
【００５８】
Ｕ−ＴＯＣセクタ２の一例を図６に示す。セクタ２は、プログラムエリア４７に記録されている各プログラム毎の記録日時を管理する。また、Ｕ−ＴＯＣセクタ４の一例を図７に示す。セクタ４で使用するものと定められている文字コードにより、プログラムエリア４７に記録されている各プログラムのタイトルが漢字、ひらがな、カタカナで表記することができるようになされている。
【００５９】
Ｕ−ＴＯＣのセクタ１またはセクタ４にタイトル等の文字入力を行う処理について説明する。まず、文字入力に使用される遠隔操作部１００について図８Ａの外観図を参照して説明する。遠隔遠隔操作部１００は、コマンダーオフボタン１０１、スリープボタン１０２、表示部分１０４、および表示部分１０４に附帯的に設けられるタッチパネル部１０３、音量調節ボタン１０５、ジョグダイヤルつまみ１０６、ミューティングボタン１０８、コントラスト調節つまみ１０９、および輝度調整ダイヤル１１０を有する。
【００６０】
次に、遠隔操作部１００の内部構成について図８Ｂのブロック図を参照して説明する。遠隔操作部１００は、ＭＤ装置本体３０の送受信ユニット２２との間で赤外線等の送受信を行う送受信部１１１、マイクロコンピュータなどの制御部１１２、制御部１１２に接続されたリモコンメモリ１１３、ＭＤ装置本体３０に備えられたＭＤ機能以外の操作対象を選択するＦｕｎｃｔｉｏｎキーや文字入力キー等を備えた操作部１１４、および機能に応じて必要な操作情報を表示する表示部１０４を有する。
【００６１】
ユーザは、表示部１０４に表示される操作情報を見ながら操作部１１４を操作することにより、ＭＤ装置本体３０の操作を行う。リモコンメモリ１１３には、遠隔操作部１００に必要なソフトウエアプログラム、操作部１１４に対するユーザの操作情報、および表示部１０４に表示する表示情報を記憶している。送受信部１１では、操作部１１４を操作して行われたユーザによる操作指令の送信、およびＭＤ装置本体３０からの制御信号、文字コード等の情報の受信等を、ＭＤ装置本体３０の送受信ユニット２２との間で行う。続いて、遠隔操作部１００の動作について図８Ａを参照してより詳細に説明する。
【００６２】
コマンダーオフボタン１０１は、遠隔操作部１００を介してユーザが行う指令をＭＤ装置本体３０に伝達するか否かを制御するボタンである。また、スリープボタン１０２は、ＭＤ装置本体３０にスリープモードを指令する際に操作されるボタンである。表示部１０４としては、例えばＬＣＤモニターが使用される。
【００６３】
表示部１０４に附帯的に設けられるタッチパネル部１０３としては、例えば、抵抗膜方式のもの、または静電方式のもの等が使用される。タッチパネル部１０３は、板状の形状を有しており、その２次元的な位置に対応して、例えば抵抗値が異なる。このため、タッチパネル部１０３上を、例えばペン状の操作部品によって押圧すると、押圧された位置に応じて所定の指令に係る信号を生成する。また、タッチパネル部１０３は、表示部分１０４の上面を覆うように設けられるので、表示部１０４による表示を視認することを妨げないように、光の透過率等の光学的性質が所定の条件を満たすものとされる。
【００６４】
タッチパネル部１０３と、表示部１０４とが上述したような位置関係をなすように設けられているので、表示部１０４による表示により、タッチパネル部１０３を介してなされる操作および入力のために押圧されるべき位置を、ユーザが知ることができる。表示部１０４の表示動作は、遠隔操作部１００が内蔵するリモコンメモリ１１３に記憶されているソフトウエアである、ＧＵＩ（Grafhical User Interface）によって行われる。
【００６５】
音量調節ボタン１０５は、再生時の音量調節を行うためのボタンである。ジョグダイヤルつまみ１０６は、一般に選択手段として用いられ、遠隔操作部１００においては、ユーザが行う指令に係る選択事項、例えば再生を指令する場合の再生対象プログラムの選択等に使用される。ミューティングボタン１０８は、再生中に音声出力を遮断する指令を行う際に操作される。コントラスト調節つまみ１０９は、表示部１０３の表示画面のコントラストを調節するためのつまみである。輝度調整ダイヤル１１０は、表示画面の輝度を調整する。
【００６６】
以下、表示部１０４に表示される一連の表示画面の例を参照しながら、タイトル等の文字情報を入力する処理について具体的に説明する。図９は、指令を与える対象を選択するための表示画面である。また、ＭＤ装置本体３０には、ラジオ受信機、ＣＤの再生装置、またはテープレコーダー等の機器と共に、主にオーディオ記録／再生システムを構成している。従って、遠隔操作部１００においては、これらの機器の制御を行うことが可能とされている。図９において、制御しようとする機器の表示が選択的にペン等によって押圧される。
【００６７】
ＭＤについての制御を行うことが選択された場合について以下に説明する。ＭＤの制御が選択された場合には、図１０の画面が表示される。ＭＤの制御では、再生機能における指令、例えば再生開始指令、プログラム単位でのスキップ、再生の停止または一時停止、ディスク単位でのスキップ等を、上述したタッチパネル部１０３を介して行うことができるようになされる。すなわち、これらの指令に対応する表示部分がそれぞれタッチパネル部１０３上に表示され、表示部分を所定の操作手段によって接触することによって対応する指令がＭＤ装置本体３０に伝達される。タッチパネル部１０３上の中央からやや下方にかけては、買う指令に対応する模式的な操作釦が表示される。
【００６８】
図１０の画面の下方には、ＭＤ装置本体３０の機能の内、再生機能以外の機能を選択するための表示がなされる。この表示も、当然のことながら各タッチパネル部１０３上に表示される。選択され得る機能としては、文字の入力を行う文字入力機能（ＮＡＭＥ），各プログラムに対して、すなわち、オーディオ情報に対してカットアンドペースト処理を行う編集機能（ＥＤＩＴ）、他の記録媒体等から得られる情報の記録を行うダビング機能（ＤＵＢＢＩＮＧ）、例えば特定のプログラムを繰返し再生する、記録された順番とは異なる順番で再生する等の再生の順序等をプログラムを単位として選択するモード選択機能（ＭＯＤＥ）、および再生可能なプログラムを一覧表形式で表示するリスト機能（ＬＩＳＴ）等がある。
【００６９】
この発明は、文字入力機能に係るものなので、以下、図１０の画面の左下の’ＮＡＭＥ’の表示部が押圧されることにより、文字入力機能が選択された場合について説明する。図１１は、この場合の表示画面（文字入力画面）の一例を示したものである。画面左上隅の’ＭＤ’なる表示は、ＭＤが指令対象とされていることを示している。その直下の表示枠には、Ｐ−ＴＯＣエリアから読出されるトラックネームまたはディスクネーム等が表示される。この表示枠の右側に表示される' ＋' および' −' の表示は、トラックの番号を増減して所望のトラックを選択するためのものである。トラック番号の選択により、プログラムエリア４７に記録されているプログラムの内から、文字入力機能を使用することによって文字情報を付加する対象を選択することができる。
【００７０】
その直下に２段の文字入力枠が設けられる。これらの内、一方がＵ−ＴＯＣのセクタ１に記録される文字情報に対応し、他方がＵ−ＴＯＣのセクタ４に記録される文字情報に対応する。従って、上述したようなＵ−ＴＯＣの構成に対しては、一方が英字またはカタカナによる入力に対応し、他方が漢字、ひらがな、カタカナによる入力に対応することになる。
【００７１】
また、２段の文字入力枠の表示形態には、図１１に示したもの以外にも、例えば図１２に示すようなものでも良い。図１２に示す一例においては、「Track No」の欄に「１」が入力されて、１曲目であることが特定され、この１曲目の名称を、半角英字フォーマットでは「AIUEO 」、全角かな漢字では「あいうえお」として入力することができる。また、１個のプログラムに対応する時間情報は１個なので、時間情報に係る「Time」の欄が１個設けられている。
【００７２】
このように、表示部１０４に２段の文字入力枠を設けたこの発明の遠隔操作部１００によれば、２段の文字入力枠に対する入力内容を同時に視認できるので、両者の関係を確認した上で送信することが可能である。両者の関係は、ユーザが所望するものとすれば良い。例えば、洋楽の場合に、英語でのタイトル名と、その日本語での表記という関係とすることが考えられる。また、例えば、一方をタイトル名とし、他方をアーティスト名とする等の関係としても良い。さらに、これら２段の文字入力枠の右側には、それぞれに対応して本体への送信を指令するための表示がなされるので、２段の文字入力枠に入力された文字入力をそれぞれ別個にＵ−ＴＯＣのセクタ１およびセクタ４に記録することができる。
【００７３】
また、１画面上から複数フォーマットでの曲目を幾つかまとめて入力するようにしても良い。この場合、２段の文字入力枠を表示部１０４上に複数個表示し、まとめて文字入力を行うようにすれば良い。
【００７４】
入力操作は、図１１で画面中央より下側に表示される、ワードプロセッサ等のキーボードに類似した表示（以下、ソフトウエアキーボードと表記する）を参照しながら、タッチパネル機能によって所望の文字を選択することによってなされる。図１１では、ひらがなが使用される場合について示した。なお、この場合には、入力文字表示中の最下段の' 変換' と表示された部分を操作することにより、ひらがなでの入力を漢字に変換することができる。上述したように、この画面からのひらがな、または漢字による入力は、Ｕ−ＴＯＣのセクタ４に記録される。また、左上の' かな' 、' カナ' 、' 記号' 、' 英数大' 、' コード' 、' 英数小' 等の表示がなされた部分を操作することによって入力に使用する文字の種類を選択することができる。
【００７５】
' カナ' 表示部分が操作された場合のソフトウエアキーボードの一例を図１３に示す。但し、図１３は全角カタカナに係るものである。カタカナについては、全角カタカナによる入力がＵ−ＴＯＣのセクタ４に記録され、半角カタカナによる入力がＵ−ＴＯＣのセクタ１に記録される。' 英数大' 表示部分が操作された場合のソフトウエアキーボードの一例を図１４に示す。' 英数小' 表示部分が操作された場合のソフトウエアキーボードの一例を図１５に示す。' 記号' 表示部分が操作された場合のソフトウエアキーボードの一例を図１６に示す。上記英数大／英数小および記号による入力情報はＵ−ＴＯＣのセクタ１に記録される。
【００７６】
上述したこの発明の実施の一形態では、２段の文字入力枠に別個に入力を行うようになされている。これに対して、２段の文字入力枠の内の一方に対する入力に連動して他方の入力文字枠に自動的に入力を行うようにしたこの発明の他の実施形態も可能である。以下、図１７、図１８のフローチャートを参照して、この発明の他の実施形態について説明する。この発明の他の実施形態において、装置のハード構成は、上述したこの発明の実施の一形態と同様なものとされる。以下の説明は、文字情報の入力を上述の遠隔操作部１００と同様な手段を介して行う場合についてのものである。文字情報の入力手段は、ＭＤ装置本体のキー部や、パーソナルコンピュータであっても良い。
【００７７】
まず、図１７に示される遠隔操作部１００の文字入力動作において、文字入力が開始された後、ステップＳ１で文字の種類が選択される。ひらがなが選択された時にはステップＳ２に移行し、それ以外の時にはステップＳ４に移行する。ステップＳ２においては、ユーザの必要に応じて漢字変換がなされ、最終的な漢字変換の結果がＵ−ＴＯＣのセクタ４に記録される文字情報の入力枠（以下、簡単のためＡ欄と表記する）へ入力される。ステップＳ３として、Ａ欄に入力されたひらがな表記の内容が自動的に半角カタカナ変換されて、Ｕ−ＴＯＣのセクタ１に記録される文字入力が行われる入力枠（以下、簡単のためＢ欄と表記する）へ入力される。
【００７８】
ステップＳ４においては、英数・カタカナ・記号の何れかによって入力が行われる。この場合には漢字変換を行う必要がないので入力された文字がそのままＡ欄に入力される。ステップＳ５として、入力された文字が半角変換されてＢ欄に入力される。すなわち、ステップＳ３およびＳ５は、それぞれステップＳ２およびＳ４においてＡ欄に入力された内容に対応して、半角変換された文字をＢ欄に入力するステップである。
【００７９】
ステップＳ６として処理対象がＭＤであるか否かがチェックされる。ＭＤである時にはステップＳ７に移行し、それ以外の時には、ステップＳ１１に移行する。
【００８０】
ステップＳ７においては、Ａ欄に入力された文字を本体に送信するか否かが選択される。送信する旨の選択がなされた時には、ステップＳ８においてＡ欄に入力された文字を、Ａ欄を示す識別子（以下、ＩＤ：Identification Code と記す）およびＭＤを示すＩＤと共に本体に送信する処理が実行され、文字入力を終了する。送信しない旨の選択がなされた時には、ステップＳＳ９に移行する。
【００８１】
ステップＳ９においては、Ｂ欄に入力された文字を本体に送信するか否かが選択される。送信する旨の選択がなされた時には、ステップＳ１０においてＢ欄に入力された文字を、Ｂ欄を示すＩＤおよびＭＤを示すＩＤと共に本体に送信する処理が実行され、文字入力を終了する。送信しない旨の選択がなされた時には、そのまま文字入力を終了する。
【００８２】
一方、ステップＳ６において、処理対象がＭＤでないと判断された場合には、ＭＤ以外の処理対象、例えばＣＤ，チューナー等に対応する処理が行われる。すなわち、ＭＤ以外の処理対象については、ステップＳ１１としてＡ欄に入力された文字を遠隔操作部１００内に備えられているリモコンメモリ（図８Ｂ参照）に記憶する。ステップＳ１２として、Ｂ欄に入力された文字を本体に送信するか否かが選択される。送信する旨が選択された時には、ステップＳ１３に移行して、Ｂ欄に入力された文字を、選択された機器を示すＩＤと共に本体に受信する処理が実行される。送信しない旨が選択された時には、そのまま文字入力を終了する。
【００８３】
Ａ欄への入力がなされる場合には、その入力内容に従ってＢ欄への入力がなされるが、Ｂ欄への入力を先に行う場合には、Ａ欄には何も入力されない。このため、両者の内容がひらがな（または漢字）による表記と半角カタカナによる表記であることをユーザが望まない時にはＢ欄への入力を先に行えば良い。但し、場合によっては、Ｂ欄への入力が先になされる場合に、その入力内容に従ってＡ欄への入力がなされるようにしても良い。
【００８４】
次に、図１８に示される装置本体の文字書き込み動作において、遠隔操作部１００からの信号が受信された後、ステップＳ２１で受信信号に含まれる機器ＩＤの判別が行われる。すなわち、ステップＳ２１でＭＤのＩＤと判断された時には、ステップＳ２２に移行し、それ以外の時にはステップＳ２３に移行する。
【００８５】
ステップＳ２２では、受信信号に含まれるＡ／Ｂ欄ＩＤに基づいて受信信号がＢ欄に対する受信か否かの判別がなされ、Ａ欄に対する受信と判断された時にはステップＳ２４に移行し、それ以外の時にはステップＳ２５に移行する。ステップＳ２４においては、Ａ欄に入力された文字をＭＤのＵ−ＴＯＣのセクタ４に書き込み、ＭＤに対する文字情報の書き込み動作を終了する。
【００８６】
ステップＳ２５では、受信信号に含まれるＡ／Ｂ欄ＩＤに基づいて受信信号がＢ欄に対する受信か否かの判別がなされ、Ｂ欄に対する受信と判断された時にはステップＳ２６に移行してＢ欄に入力された文字をＭＤのＵ−ＴＯＣのセクタ１に書き込み、Ｂ欄の受信ではないと判断された時にはそのままＭＤに対する文字情報の書込み動作を終了する。
【００８７】
ステップＳ２３では、受信信号に含まれる機器ＩＤに基づいてユーザ所望の選択機器を確定する。ステップＳ２７では、Ｂ欄に入力された文字を装置本体に備えられている所定のメモリ（本体メモリと称する）に書込み、ＭＤ以外の選択機器に対する文字情報の書込み動作を終了する。
【００８８】
上述したこの発明の実施の一形態およびこの発明の実施の他の形態においては、Ｕ−ＴＯＣのセクタ１およびセクタ４に対応して２種類のフォーマットによる入力が可能とされているが、Ｕ−ＴＯＣの構成を変更または拡張することによって、さらに多くの種類のフォーマットによる入力を可能とするようにしても良い。例えば、日本語、韓国語、アラビア語等の言語と共に、その発音方法を表す表音文字をアルファベットで表記するようにしても良い。
【００８９】
複数の文字形態として、上述した日本語および英語以外にも、英語とスペイン語、ドイツ語とフランス語、中国語と日本語等とユーザの所望による言語の組み合わせ、または異なるフォント等を使用するようにしても良い。
【００９０】
この発明の一実施形態等においては、２段の文字入力枠に異なる言語体系の文字を入力したり、同一言語体系における複数の表記文字（例えば、漢字、ひらがな、カタカナ）を入力する例について例示したが、３段以上の文字入力枠を設けて、３段以上の文字入力枠に複数の言語体系または複数の表記文字を入力するようにしても良い。
【００９１】
この発明は、ディジタルオーディオ信号に限らず、ディジタルビデオ、ディジタルデータ等を記録／再生する記録装置および再生装置に適用することができる。また、この発明は、テープ状記録媒体または半導体メモリ等の記録媒体を使用する記録装置および再生装置にも適用することができる。
【００９２】
【発明の効果】
上述したように、この発明は、ＭＤ装置等のディジタルオーディオ信号の記録再生装置において、例えばひらがな・漢字と英字等、複数の文字形態によってなされる各プログラムのタイトル等に係る文字情報の入力、つまりＵ−ＴＯＣ内の別のセクタに記録される文字情報の入力を、遠隔操作部等において同一の画面から行うことができるようにしたものである。
【００９３】
このため、複数の文字形態による入力内容を同時に視認できるので、それらの間の関係を確認した上で、記録媒体に記録すべき文字情報を装置に供給することが可能である。従って、例えば洋楽のタイトルの英字による表記と、それに対応するカタカナ表記等、ユーザが所望する関係を有する複数の文字形態による文字情報の入力をより容易且つ確実に行うことができる。
【図面の簡単な説明】
【図１】この発明のディジタル信号記録装置および再生装置の全体ブロック図である。
【図２】書き換え可能な光磁気ディスクの媒体フォーマットの模式図である。
【図３】各プログラムの記録位置を管理するＵ−ＴＯＣセクタ０を表すテーブルである。
【図４】書き換え可能な光磁気ディスクのプログラムエリアに離散的に記録されたデータのＬｉｎｋ形態を示す模式図である。
【図５】各プログラムの第１の文字形態で記録されたタイトル名を管理するＵ−ＴＯＣセクタ１を表すテーブルである。
【図６】各プログラムの記録日時を管理するＵ−ＴＯＣセクタ２を表すテーブルである。
【図７】各プログラムの第２の文字形態で記録されたタイトル名を管理するＵ−ＴＯＣセクタ４を表すテーブルである。
【図８】遠隔操作部の外観図およびブロック図である。
【図９】遠隔操作部を用いて各種記録再生装置を制御する際の表示画面の一例である。
【図１０】書き換え可能な光磁気ディスクを操作するタイトル表示画面の一例である。
【図１１】書き換え可能な光磁気ディスクを操作するタイトル名入力表示画面の一例である。
【図１２】書き換え可能な光磁気ディスクを操作する２段表示の一方に英字、他方にひらがなが表示された表示画面の一例である。
【図１３】文字入力画面として、’カナ’表示が選択された場合のソフトウェアキーボードの一例である。
【図１４】文字入力画面として、’英数大’表示が選択された場合のソフトウェアキーボードの一例である。
【図１５】文字入力画面として、’英数小’表示が選択された場合のソフトウェアキーボードの一例である。
【図１６】文字入力画面として、’記号’表示が選択された場合のソフトウェアキーボードの一例である。
【図１７】複数の文字形態による文字情報の一方の入力動作に連動して、他方の文字形態による文字情報を自動的に入力する処理を表す遠隔操作ブロック側のフローチャートである。
【図１８】複数の文字形態による文字情報の一方の入力動作に連動して、他方の文字形態による文字情報を自動的に入力する処理を表す記録再生装置本体側のフローチャートである。
【符号の説明】
１・・・ＭＤ、１１・・・システムコントローラ、２０・・・表示部，１９・・・キー操作部、４０・・・パーソナルコンピュータ、２２・・・送受信ユニット、１００・・・遠隔制御部、４６・・・Ｕ−ＴＯＣエリア、４７・・・プログラムエリア
【図１】
0004158236.tif 000002
【図２】
0004158236.tif 000003
【図３】
0004158236.tif 000004
【図４】
0004158236.tif 000005
【図５】
0004158236.tif 000006
【図６】
0004158236.tif 000007
【図７】
0004158236.tif 000008
【図８】
0004158236.tif 000009
【図９】
0004158236.tif 000010
【図１０】
0004158236.tif 000011
【図１１】
0004158236.tif 000012
【図１２】
0004158236.tif 000013
【図１３】
0004158236.tif 000014
【図１４】
0004158236.tif 000015
【図１５】
0004158236.tif 000016
【図１６】
0004158236.tif 000017
【図１７】
0004158236.tif 000018
【図１８】
0004158236.tif 000019